(57)【要約】【課題】液晶パネルの周縁に装着される枠体（ベゼル）であって該液晶パネル側面に装着された電子部品の存在に拘わらず効率よく液晶パネルの所定位置に正しく装着し得る構造の枠体と、該枠体を備えた液晶表示装置を提供すること。【解決手段】本発明によって提供される液晶表示装置１００において、枠体２０は、矩形状液晶パネル１０の各辺においてそれぞれ液晶パネル１０の前面周縁部１０ａに配置されるフロント枠部２２と、フロント枠部２２につながって液晶パネル１０の各辺においてそれぞれ液晶パネル１０の側面に配置されるサイド枠部２４とを備えている。ここで少なくとも一つの液晶パネル側面１０ｂにおいて、該側面１０ｂに配置されるサイド枠部２５はその一部分または全体が隣接するフロント枠部２２に対して回動可能に連結している。【選択図】図２
2010145650.tif 000002
【特許請求の範囲】
【請求項１】
矩形状の液晶パネルと、該液晶パネルの周縁を囲むようにして該液晶パネルに装着される矩形状の枠体と、を備える液晶表示装置であって、
前記枠体は、前記矩形状液晶パネルの各辺においてそれぞれ該液晶パネルの前面周縁部に配置されるフロント枠部と、該フロント枠部につながって該液晶パネルの各辺においてそれぞれ該液晶パネルの側面に配置されるサイド枠部とを備えており、
ここで少なくとも一つの前記液晶パネル側面において、該側面に配置されるサイド枠部はその一部分または全体が隣接する前記フロント枠部に対して回動可能に連結していることを特徴とする、液晶表示装置。
【請求項２】
前記液晶パネル側面の少なくとも一つにおいて該側面の表面に電子部品が配置されており、
該電子部品に対向する前記サイド枠部の一部分または全体が、隣接する前記フロント枠部に対して回動可能に連結していることを特徴とする、請求項１に記載の液晶表示装置。
【請求項３】
蝶番構造によって前記回動可能なサイド枠部の一部分または全体が前記隣接するフロント枠部に連結している、請求項１または２に記載の液晶表示装置。
【請求項４】
矩形状の液晶パネルを備える液晶表示装置において該液晶パネルの周縁を囲むようにして該液晶パネルに装着される矩形状の枠体であって、
前記矩形状液晶パネルの各辺においてそれぞれ該液晶パネルの前面周縁部に配置されるフロント枠部と、該フロント枠部につながって該液晶パネルの各辺においてそれぞれ該液晶パネルの側面に配置されるサイド枠部とを備えており、
ここで少なくとも一つのサイド枠部の一部分または全体が隣接する前記フロント枠部に対して回動可能に連結していることを特徴とする、液晶表示装置用枠体。
【請求項５】
蝶番構造によって前記回動可能なサイド枠部の一部分または全体が前記隣接するフロント枠部に連結していることを特徴とする、請求項４に記載の枠体。
【発明の詳細な説明】
【技術分野】
【０００１】
本発明は、液晶表示装置および該表示装置に装備される液晶表示装置用枠体に関する。
【背景技術】
【０００２】
近年、テレビ、パソコン等の画像表示装置（ディスプレイ）として、典型的には矩形状の液晶画面を備えた液晶表示装置が広く用いられている。かかる液晶表示装置は、画像を表示する液晶パネルとして、典型的には外縁形状が矩形状（すなわち、視聴者からみて前面側の縁が矩形状）である液晶パネルを備えている。
このような液晶表示装置において、上記液晶パネルの前面側の周縁および側面には額縁状の枠体（ベゼルとも呼ばれる。）が配置されている。かかる額縁状枠体（ベゼル）は、液晶パネルの前面側から該パネル前面の矩形状周縁部を囲むように被せられて該液晶パネルに装着される。
【０００３】
ところで、上記液晶パネルに加えて各種の電子部品（例えば液晶パネルの側面ならびに背面側に装備されるフレキシブル基板や駆動ＩＣ等）、バックライト装置等を備える液晶表示装置の製造（組み立て）を効率よく行うためには、上記枠体を液晶パネルに装着する作業も効率よく行う必要がある。例えば、特許文献１には、液晶パネルを収容した収納台（液晶パネルの後方に配置される枠状部材）に枠体（ベゼル）を効率よく装着するため、枠体の一端にツメを形成するとともに収納台の対応する箇所に係合部を形成しておき、該係合部に当該ツメを係合して成る係合部分を支軸として枠体を回動させつつ装着する構造が記載されている。
【０００４】
【特許文献１】特開平８−５９９８号公報
【発明の開示】
【発明が解決しようとする課題】
【０００５】
液晶パネル側面の表面部には、液晶パネル内の電極（画素電極、対向電極等）に接続される液晶パネル駆動用ＩＣ、該駆動用ＩＣを備えるフレキシブル基板、該フレキシブル基板に接続される接続基板、等の電子部品が装着されている。
このため、枠体（ベゼル）を液晶パネルの周縁に装着する際には、かかる電子部品に枠体が接触して該電子部品に損傷を与えることのないよう細心の注意を払う必要があった。このことが、枠体を液晶パネルに装着する際の作業効率向上を妨げる一つの要因となっていた。なお、上記特許文献１に記載の枠体と収納台との係合構造もかかる要因を払拭し得るものではない。
【０００６】
そこで本発明は、上記の問題点に鑑みてなされたものであり、その主な目的は、液晶パネルの周縁に装着される枠体（ベゼル）であって該液晶パネル側面に装着された電子部品の存在に拘わらず効率よく液晶パネルの所定位置に正しく装着し得る構造の枠体と、該枠体を備えた液晶表示装置を提供することである。
【課題を解決するための手段】
【０００７】
上記目的を実現するべく、本発明によって提供される液晶表示装置は、矩形状の液晶パネルと、該液晶パネルの周縁を囲むようにして該液晶パネルに装着される矩形状の枠体と、を備える。また、上記枠体は、上記矩形状液晶パネルの各辺においてそれぞれ該液晶パネルの上記周縁部に配置されるフロント枠部と、該フロント枠部につながって該液晶パネルの各辺においてそれぞれ該液晶パネルの側面に配置されるサイド枠部とを備えている。ここで少なくとも一つの上記液晶パネル側面において、該側面に配置されるサイド枠部はその一部分または全体が隣接する上記フロント枠部に対して回動可能に連結していることを特徴とする。
本発明に係る液晶表示装置では、矩形状の枠体におけるサイド枠部の一部または全体が、フロント枠部に対して回動可能に連結している。このため、上記枠体を液晶パネルに装着する際には、かかるサイド枠部を該液晶パネルから離れるように回動させることにより、該液晶パネルの側面部分への接触を避けることができる。特に、かかる枠体がサイド枠部の全体が回動可能な構成である場合には、該枠体を上記液晶パネルに対して該パネルの前面方向からの装着に代えてパネル側面方向から移動（例えばスライド移動）させて装着することも可能である。以上のことにより、液晶パネル側面に接触しないように細心の注意を払うために過剰な時間を費やすことなく、効率よく、また正しい位置に上記枠体を該液晶パネルに装着することができる。したがって、本発明の液晶表示装置によると、液晶パネル側面の接触を回避しつつ液晶パネルの周縁に正しく枠体を装着する作業の手間や時間を軽減し、作業効率を向上させることができる。
【０００８】
ここで開示される液晶表示装置の好ましい一態様では、上記液晶パネル側面の少なくとも一つにおいて該側面の表面に電子部品が配置されており、該電子部品に対向する上記サイド枠部の一部分または全体が、隣接する上記フロント枠部に対して回動可能に連結していることを特徴とする。
かかる構成の液晶表示装置では、フロント枠部に対して上記サイド枠部を回動させることにより、液晶パネルの側面に配置された電子部品への接触を確実に回避しながら効率よく上記枠体を上記液晶パネルの周縁に正しく装着することができる。また、パネル側面の電子部品に対向するサイド枠部の不用意な衝突により当該電子部品が損傷を受けることを未然に防止することができる。
【０００９】
ここで開示される液晶表示装置のより好ましい一態様では、蝶番構造によって前記回動可能なサイド枠部の一部分または全体が前記隣接するフロント枠部に連結していることを特徴とする。
かかる構成の液晶表示装置では、単純な構造である蝶番構造により上記枠体におけるサイド枠部を隣接するフロント枠部に対して容易に回動可能に連結させることができる。
【００１０】
また、本発明は、他の側面として、ここで開示される液晶表示装置に装備される枠体を提供する。かかる枠体は、矩形状の液晶パネルを備える液晶表示装置において該液晶パネルの周縁を囲むようにして該液晶パネルに装着される矩形状の枠体である。また、かかる枠体は、矩形状液晶パネルの各辺においてそれぞれ該液晶パネルの前面周縁部に配置されるフロント枠部と、該フロント枠部につながって該液晶パネルの各辺においてそれぞれ該液晶パネルの側面に配置されるサイド枠部とを備える。ここで少なくとも一つのサイド枠部の一部分または全体が隣接する前記フロント枠部に対して回動可能に連結していることを特徴とする。
本発明に係る液晶表示装置用の枠体では、サイド枠部がフロント枠部に対して回動可能に連結しているので、該サイド枠部を液晶パネルから離れるように回動させることにより、該液晶パネルの接触を避けながら上記枠体を装着することができる。したがって、かかる枠体によると、液晶パネルの周縁に正しく装着する作業の手間や時間が軽減され、作業効率を向上させることができる。
【００１１】
また、ここで開示される液晶表示装置用の枠体の好ましい一態様では、蝶番構造によって上記回動可能なサイド枠部の一部または全体が上記隣接するフロント枠部に連結していることを特徴とする。
かかる構成の枠体では、単純な構造である蝶番構造によってサイド枠部を隣接するフロント枠部に対して容易に回動可能に連結させることができる。
【発明を実施するための最良の形態】
【００１２】
以下、図面を参照しながら、本発明の好適ないくつかの実施形態を説明する。なお、本明細書において特に言及している事項（例えば、枠体の構成）以外の事柄であって本発明の実施に必要な事柄（例えば、液晶パネルの構成や構築方法、液晶表示装置に装備される光源の構成等）は、当該分野における従来技術に基づく当業者の設計事項として把握され得る。本発明は、本明細書に開示されている内容と当該分野における技術常識とに基づいて実施することができる。
【００１３】
以下、図１〜図３を参照しながら、本発明の好ましい一実施形態に係る液晶パネル１０を備えたアクティブマトリックス方式（ＴＦＴ型）の液晶表示装置１００について説明する。図１は、本発明の一実施形態（例１）に係る液晶表示装置１００の構成を模式的に示す分解斜視図である。図２は、本発明の一実施形態（例１）に係る液晶表示装置１００において、液晶パネル１０およびバックライト装置４０に装着される枠体（ベゼル）２０の構成を模式的に示す斜視図である。図３Ａは、本発明の一実施形態（例１）に係る液晶表示装置１００においてサイド枠部２５が蝶番構造３０により閉じた状態の枠体２０を示す模式図である。図３Ｂは、本発明の一実施形態（例１）に係る液晶表示装置１００において、サイド枠部２５が蝶番構造３０により開いた状態の枠体２０を示す模式図である。
なお、以下の図面において、同じ作用を奏する部材、部位には同じ符号を付し、重複する説明は省略または簡略化することがある。また、各図における寸法関係（長さ、幅、厚さ等）は、必ずしも実際の寸法関係を正確に反映するものではない。また、本明細書において、「前面」または「表側」とは液晶表示装置１００における視聴者に面する側（すなわち液晶パネル側）をいい、「後方」、「裏側」または「背面」とは液晶表示装置１００における視聴者に面しない側（すなわちバックライト装置側）をいうこととする。
【００１４】
図１および図２を参照しつつ、液晶表示装置１００の構成について説明する。図１に示されるように、液晶表示装置１００は、液晶パネル１０と、該液晶パネル１０の裏側（図１における下側）に配置された外部光源であるバックライト装置４０とを備えており、これらは枠体（ベゼル）２０により組み付けられることで一体的に保持されている。
【００１５】
図１に示されるように、液晶パネル１０は、概して、全体として矩形の形状を有しており、その中央領域に画素が形成されている領域であって画像を表示する表示領域を有している。また、この液晶パネル１０は、互いに対向する一対の透光性のガラス基板１１，１２と、その間に封入される液晶層１３とから構成されるサンドイッチ構造を有している。上記一対の基板１１，１２のうち、表側がカラーフィルタ基板（ＣＦ基板）１２であり、裏側がアレイ基板１１である。なお、かかるガラス基板１１および１２の周縁部には、上記表示領域の周囲を囲むようにシール材（図示せず）が設けられており、液晶層１３を封止している。液晶層１３は、液晶分子を含む液晶材料から構成される。かかる液晶材料は、ガラス基板１１，１２の間の電界印加に伴って液晶分子の配向が操作され光学特性が変化する。両ガラス基板１１，１２における互いに対向する側（内側）の面には、それぞれ液晶分子の配向方向を決定する配向膜（図示せず）が形成されており、対向しない側（外側）の面には、それぞれ図示しない偏光板が貼り付けられている。
【００１６】
ここで開示される液晶パネル１０は、アレイ基板１１の表側（液晶層１３に臨む側）には、画像を表示させるための画素（詳細にはサブ画素）が配列しており、各画素（サブ画素）を駆動するための複数の図示しないソース配線およびゲート配線が格子状のパターンをなすように形成されている。かかる配線に囲まれた各格子領域には、（サブ）画素電極およびスイッチング素子である薄膜トランジスタ（ＴＦＴ）が設けられている。画素電極は、典型的には透明な導電材料であるＩＴＯ（Ｉｎｄｉｕｍ  Ｔｉｎ  Ｏｘｉｄｅ：インジウム酸化スズ）からなり、これらの画素電極には、画像に応じた電圧が上記ソース配線および薄膜トランジスタを介して所定のタイミングで供給される。
他方、ＣＦ基板１２には、上記アレイ基板１１の１つの画素電極に対してＲ（赤），Ｇ（緑），Ｂ（青）のいずれか１つのカラーフィルタが対向しているとともに、該各色のカラーフィルタを区画するブラックマトリクス、さらに該カラーフィルタとブラックマトリクスの表面上に一様に形成された対向電極（透明電極）が設けられている。
【００１７】
ここで、図１に示されるように、上記アレイ基板１１は、ＣＦ基板１２に対して（面積が）大きくなるように形成されており、該２枚のガラス基板１１，１２を重ね合わせた際には、アレイ基板１１の矩形状の周縁を構成する４辺のうち少なくとも１辺の周縁部分１１ａがＣＦ基板１２からはみ出している。かかるはみ出た周縁部分１１ａには、複数のフレキシブル基板（ＴＣＰ：Ｔａｐe  Ｃａｒｒｉｅｒ  Ｐａｃｋａｇｅ）１４が並んで配置されており、かかるフレキシブル基板１４のそれぞれには、液晶パネル１０を駆動するための液晶パネル駆動用ＩＣのチップ（ドライバＩＣチップ）１５が搭載されている。このようにドライバＩＣチップ１５が搭載されたフレキシブル基板１４において、その一方の端部は上記はみ出た周縁部分１１ａに固定されることにより該フレキシブル基板１４が液晶パネル１０内の電極（画素電極、対向電極等）に接続されるとともに、該フレキシブル基板１４の他方の端部は、上記ドライバＩＣ（チップ）１５を制御するコントローラやその他の電子部品などが組み込まれた接続基板１６に取り付けられている。
本実施形態に係る液晶パネル１０では、図１および図２に示されるように、該液晶パネル１０に設けられたフレキシブル基板１４は、上記アレイ基板１１の矩形状の周縁を構成する四辺のうち互いに隣接して直交する二辺の周縁部分１１ａに固定されているが、アレイ基板１１の周縁におけるフレキシブル基板１４の配置は特に限定されず、例えば上記周縁を構成する三辺、あるいは上記アレイ基板１１の全周にわたりフレキシブル基板１４を設けた構成であってもよい。
【００１８】
上記接続基板１６は、プリント基板（ＰＣＢ：Ｐｒｉｎｔｅｄ  Ｃｉｒｃｕｉｔ  Ｂｏａｒｄ）ともいわれる。かかる接続基板１６は、図２に示されるように、液晶パネル１０の周縁部分（アレイ基板１１のはみ出た周縁部分１１ａ）に取り付けられているフレキシブル基板１４が後述のバックライト装置４０側に折り込まれることにより、該バックライト装置４０の裏側に配設される。
なお、上述した画素や電極の構成や駆動回路等、上記液晶パネルの１０の構成自体は従来の液晶パネルと同様でよく、本発明を特徴付けるものではないため、これ以上の詳細な説明は省略する。
【００１９】
バックライト装置４０は、図１および図２に示されるように、典型的には複数本の線状の光源（例えば冷陰極蛍光管）が、ケース（シャーシ）４２に収容された構成である。ケース４２は、表側に向けて開口した箱形形状を有しており、ケース４２内には、上記光源が平行に配列されているとともに、該光源の光を効率的に視聴者側に反射させるための図示しない反射部材が配置されている。
【００２０】
また、ケース４２の開口部には、複数のシート状の光学部材４４が積層されて該開口部を覆うように配置されている。光学部材４４の構成としては、例えば、バックライト装置４０側から順に、拡散板、拡散シート、レンズシート、および輝度上昇シートから構成されているが、この組合せおよび順序に限定されない。さらに、光学部材４４をケース４２に挟んで保持するために、ケース４２には、略枠状のフレーム４６が設けられている。
上記ケース４２の裏側には、上記接続基板１６のさらに裏側にインバータ回路を搭載するための図示しないインバータ回路基板と、上記各光源に電力を供給する昇圧回路としての図示しないインバータトランスが設けられているが、本発明を特徴付けるものではないため説明は省略する。
【００２１】
上記バックライト装置４０は、図１および図２に示されるように、液晶パネル１０の裏側に配置されており、枠体（ベゼル）２０が上記液晶パネル１０に装着されることにより、上記液晶パネル１０とともに一体的に保持されている。
【００２２】
次に、図１〜図３Ａ，Ｂを参照しつつ本実施形態（例１）の液晶表示装置１００に係る枠体２０の構成についてより詳細に説明する。
本実施形態に係る枠体２０は、図１および図２に示されるように、全体の構成としては、液晶パネル１０の前面の中央における表示領域を矩形状に囲むように形成された平面視額縁状の部品である。かかる枠体２０は、上述したように上記矩形状に囲まれた表示領域の周縁部（前面周縁部）１０ａを囲むように被せられて上記液晶パネル１０に装着され、液晶パネル１０をバックライト装置４０とともに一体的に保持する構成である。
枠体２０は、例えば、断面視Ｌ字状の４本の枠構成部材が枠形状に互いに連結されることにより構成されており、上記液晶パネル１０の前面周縁部１０ａ、および該パネル１０の各辺の側面部１０ｂ，１０ｃ，１０ｄ，１０ｅ（以下、単に「１０ｂ〜ｅ」という。）を覆うような形状である。また、かかる枠体２０は、上記前面周縁部１０ａに配置される平面視枠状のフロント枠部２２と、該フロント枠部２２の外周縁から垂直に延びるようにつながるサイド枠部２４であって上記各辺の側面部１０ｂ〜ｅに配置されるサイド枠部２４とを備えている。
【００２３】
本実施形態に係る枠体２０が備えるサイド枠部２４において、図２に示されるように、上記液晶パネル１０の矩形状の周縁を構成する四辺のうちの一辺の側面部１０ｂに配置されるサイド枠部２５は、その全体（すなわち、枠体２０におけるサイド枠部２５に対応する側面部全体であって上記液晶パネル１０の一辺全体を含む部分）が該サイド枠部２５に隣接するフロント枠部２２に対して回動可能に連結している。かかるサイド枠部２５が回動することにより、該サイド枠部２５は、該サイド枠部２５によって覆われる上記側面部１０ｂに対して開閉可能となる。したがって、上記側面部１０ｂは、サイド枠部２５が開くことにより生じる開口部２７から露出し得る。
【００２４】
ここで、上記液晶パネル１０の側面部１０ｂには、図２に示されるように、バックライト装置４０の裏側に向けて折り込まれた状態のフレキシブル基板１４が設けられており、かかる側面部１０ｂに対して、上記枠体２０に係るサイド枠部２４のうち隣接するフロント枠部２２に回動可能に連結するサイド枠部２５が配置されることが好ましい。
【００２５】
上記回動可能なサイド枠部２５は、図３Ａおよび図３Ｂに示されるように、隣接するフロント枠部２２に対して蝶番（丁番ともいう）構造３０によって連結している。かかる蝶番構造３０としては、例えば一般的な平蝶番が挙げられ、図３Ａに示されるように、軸部３２と、該軸部３２を中心として回動可能に装着された一対の羽根部３４ａ，３４ｂとから構成されており、一方の羽根部３４ａがフロント枠部２２側に、他方の羽根部３４ｂがサイド枠部２５側に固定され、軸部３２がフロント枠部２２とサイド枠部２５との境界部分に配置されている。上記枠体２０がこのような蝶番構造３０を備えることにより、図３Ｂに示されるように、上記サイド枠部２５は、上記他方の羽根部３４ｂを介して上記軸部３２を中心として回動するとともに、該一方の羽根部３４ａを介して上記フロント枠部２２に連結している。蝶番構造３０の種類は特に限定されず、例えば上記のような平蝶番以外にも、軸部と羽根部とが分割可能な抜差し蝶番、一対の羽根部が軸部の軸方向の上下にそれぞれ分かれて配置される旗蝶番、または、裏側（液晶パネル１０に対向する面側）に取り付けられる裏蝶番なども好ましく用いることができる。あるいは、羽根部を有さない軸部（ヒンジピン）のみを用いてもよい。すなわち、上記サイド枠部２５および隣接するフロント枠部２２のそれぞれに境界線方向に沿ってヒンジピンを挿通可能な管状部を形成し、かかる管状部に挿通されたヒンジピンを軸心としてサイド枠部２５を回動させる構成であってもよい。なお、上記サイド枠部２５は、図示しない係止部を備えており、該係止部を上記サイド枠部２５の両側に隣接するサイド枠部２４、および／またはバックライト装置４０の背面部分に係止させることにより、上記枠体２０を液晶パネル１０に装着後には上記回動するサイド枠部２５を固定して閉じた状態に維持できる構成であることが好ましい。
【００２６】
上記のような構成の枠体２０を液晶パネル１０（厳密には液晶パネル１０とその背面側に配置されたバックライト装置４０）に装着する際には、上記サイド枠部２５が回動し、上記液晶パネル１０の側面部１０ｂに対して開閉するので、かかるサイド枠部２５を開いた状態で上記枠体２０を液晶パネル１０の前面から被せるように装着する。このとき、上記サイド枠部２５が開いてその開口部２７から上記側面部１０ｂが露出しているので、該側面部１０ｂに設けられているフレキシブル基板１４が上記サイド枠部２５に接触することが回避される。したがって、かかる構成の枠体２０の装着時において、液晶パネル１０の側面部１０ｂに設けられたフレキシブル基板１４に、枠体２０の一部（サイド枠部２５）が接触して該フレキシブル基板１４に損傷を与える等の不具合が発生することを効果的に防止することができる。ここで、従来の枠体では、その側面部分（すなわちサイド枠部）が回動可能な構成ではないために、フレキシブル基板１４に接触しないように上記枠体を液晶パネルに被せるように装着するには細心の注意を払う必要があり、装着には手間と時間を要していた。しかし、本実施形態に係る枠体２０では、上記のように、サイド枠部２５を回動させて開いた状態で枠体２０を装着すれば、該サイド枠部２５によるフレキシブル基板１４への不用意な衝突（接触）を回避しながら液晶パネル１０の前面周縁部１０ａおよび側面部１０ｂ〜ｅに対して正しく装着することが容易に、且つ効率よく装着することができる。以上により、かかる枠体２０を用いることにより、装着作業の手間や時間が大幅に軽減され、作業効率が向上する。
【００２７】
また、本実施形態に係る枠体２０では、図２に示されるように、液晶パネル１０の側面部１０ｂ〜ｅに配置されるサイド枠部２４のうち、側面部１０ｂに配置されるサイド枠部２５の全体が回動して開き、開口部２７が形成される。このことにより、液晶パネル１０（およびバックライト装置４０）に対して、その側面方向から上記枠体２０を水平にスライドさせて、上記開口部２７から液晶パネル１０を枠体２０の内側（裏側）に挿入するようにして該枠体２０を装着することができる。このように枠体２０を液晶パネル１０の側面方向（すなわち図２における水平方向）にスライドさせて液晶パネル１０に装着できることにより、装着の際には、予め、枠体２０および液晶パネル１０のそれぞれに対して、水平面上のスライド方向と直交する方向に対して位置決めをしておき、そのような位置関係にある液晶パネル１０に枠体２０をスライドさせて装着すれば、該枠体２０を液晶パネル１０の前面から被せるように装着するよりも、より一層作業時間を短縮し、効率よく装着することができる。
【００２８】
以上、本発明を好適な実施形態により説明してきたが、こうした記述は限定事項ではなく、勿論、種々の改変が可能である。以下、図４〜図６を参照しつつ他の実施形態について説明する。図４は、本発明の一実施形態（例２）に係る枠体５０の構成を模式的に示す斜視図である。図５は、本発明の一実施形態（例３）に係る枠体６０の構成を模式的に示す斜視図である。図６Ａは、本発明の一実施形態（例４）に係る枠体７０においてサイド枠部７５が閉じた状態を模式的に示す図である。図６Ｂは、本発明の一実施状態（例４）に係る枠体７０においてサイド枠部７５が開いた状態を模式的に示す図である。
【００２９】
図２に示される上記実施形態（例１）に係る枠体２０は、液晶パネル１０の矩形状の周縁を構成する四辺のうちの一辺の側面部１０ｂに配置されるサイド枠部２５の全体が該サイド枠部２５に隣接するフロント枠部２２に対して回動するように連結された構成である。
一方、他の実施形態（例２）としては、例えば、図４に示されるように、液晶パネル１０は、その矩形状の周縁を構成する四辺のうちの互いに隣接して直交する二辺に対応する側面部１０ｂおよび１０ｃにフレキシブル基板１４を備える構成であり、該液晶パネル１０に装着される枠体５０は、液晶パネル１０の前面周縁部１０ａに配置されるフロント枠部５２と、側面部１０ｂ〜ｅに配置されるサイド枠部５４とを備えており、該サイド枠部５４のうち側面部１０ｂおよび１０ｃにそれぞれ配置されるサイド枠部５５および５６を備えた構成である。そして、該サイド枠部５５，５６は、それぞれが隣接するフロント枠部５２に対して、例えば蝶番構造３０のような回動構造により回動可能に連結されている。かかる実施形態では、上記サイド枠部５５，５６を開いた状態で枠体５０を液晶パネル１０に装着することにより、上記二つの側面部１０ｂ，１０ｃに設けられたフレキシブル基板１４への接触を確実に回避できるとともに、二つの側面部１０ｂ，１０ｃに細心の注意を払って枠体５０を液晶パネル１０に被せるように装着する必要はなく、例えば液晶パネル１０の対角線方向に沿って枠体５０を該液晶パネル１０に向けてスライドさせることにより、効率よく該液晶パネル１０に装着することができる。
【００３０】
また、別の異なる実施形態（例３）としては、図５に示されるように、枠体６０は、液晶パネルの前面周縁部１０ａに配置されるフロント枠部６２と、該液晶パネル１０の側面部１０ｂ〜ｅに配置されるサイド枠部６４とを備えており、該サイド枠部６４は、側面部１０ｂに配置されるサイド枠部６５を備えている。かかるサイド枠部６５は、上記実施形態（例１）における枠体２０のサイド枠部２５とは異なり、サイド枠部６５の一部６５ａが回動可能にフロント枠部６２に連結している。すなわち、かかるサイド枠部６５において、液晶パネル１０の周縁を構成する一辺に沿う方向の中央部分の領域が（例えば蝶番構造３０により）回動可能な回動領域６５ａとなっている。この実施形態は、例えば液晶パネル１０において、フレキシブル基板１４が側面部１０ｂの中央部分に集中して設けられている場合に、かかる中央部分に上記回動領域６５ａを設けることにより、上記フレキシブル基板１４は枠体６０との接触を回避することができる。サイド枠部６５における回動領域６５ａの位置は特に限定されない。図５に示される実施形態では、該サイド枠部６５の中央部分に回動領域６５ａが形成されているが、フレキシブル基板１４が側面部１０ｂに偏在している場合には、その偏在箇所に応じて回動領域６５ａを設ければよい。
【００３１】
あるいはまた、さらに別の実施形態（例４）として、上記蝶番構造３０のような蝶番以外の連結構造を備えた枠体７０であってもよい。例えば、図６Ａ，Ｂに示されるように、枠体７０は、液晶パネル１０の前面周縁部１０ａ（図１または２参照）に配置されるフロント枠部７２と、液晶パネル１０の側面部１０ｂ〜ｅ（図１または２参照）に配置されるサイド枠部７４とを備えており、該サイド枠部７４は、上記フロント枠部７２に対して回動可能に連結したサイド枠部７５を備えている。該サイド枠部７５に隣接する両側のサイド枠部７４には、上記サイド枠部７５との境界付近に嵌合凹部７４ａが形成されている。一方、サイド枠部７５の両端部（液晶パネル１０の周縁方向に沿う両端部）は、上記両側のサイド枠部７４の嵌合凹部７４ａ上に重なり合うように配置される嵌合片７７であってサイド枠部７５の面方向に対して垂直に形成された嵌合片７７を備えている。かかる嵌合片７７には上記嵌合凹部７４ａと嵌合される嵌合凸部７７ａが形成されている。ここで、上記両側のサイド枠部７４の嵌合凹部７４ａに対して上記サイド枠部７５の嵌合片７７における嵌合凸部７７ａを嵌合して嵌合部８０を形成するとともに、上記両側のサイド枠部７４に対してサイド枠部７５を枢着する。これにより、サイド枠部７５は、上記両側のサイド枠部７４に対して、上記嵌合部８０を軸心として回動するように連結され、かかる連結構造により、図６Ａ，Ｂに示されるように、上記枠体７０はサイド枠部７５において開閉可能となる。
【図面の簡単な説明】
【００３２】
【図１】本発明の一実施形態（例１）に係る液晶表示装置の構成を模式的に示す分解斜視図である。
【図２】本発明の一実施形態（例１）に係る液晶表示装置において、液晶パネルおよびバックライト装置に装着される枠体（ベゼル）の構成を模式的に示す斜視図である。
【図３Ａ】本発明の一実施形態（例１）に係る液晶表示装置において、サイド枠部が蝶番構造により閉じた状態の枠体を示す模式図である。
【図３Ｂ】本発明の一実施形態（例１）に係る液晶表示装置において、サイド枠部が蝶番構造により開いた状態の枠体を示す模式図である。
【図４】本発明の一実施形態（例２）に係る枠体の構成を模式的に示す斜視図である。
【図５】本発明の一実施形態（例３）に係る枠体の構成を模式的に示す斜視図である。
【図６Ａ】本発明の一実施形態（例４）に係る枠体においてサイド枠部が閉じた状態を模式的に示す図である。
【図６Ｂ】本発明の一実施状態（例４）に係る枠体においてサイド枠部が開いた状態を模式的に示す図である。
【符号の説明】
【００３３】
１０    液晶パネル
１０ａ  前面周縁部
１０ｂ，１０ｃ，１０ｄ，１０ｅ  側面部
１１    アレイ基板
１１ａ  はみ出た周縁部分
１２    カラーフィルタ（ＣＦ）基板
１３    液晶層
１４    フレキシブル基板（ＴＣＰ）
１５    駆動用ＩＣチップ（ドライバＩＣチップ）
１６    接続基板
２０    枠体（ベゼル）
２２    フロント枠部
２４    サイド枠部
２５    回動可能なサイド枠部
２７    開口部  
３０    蝶番構造
３２    軸部
３４ａ，３４ｂ    羽根部
４０    バックライト装置
４２    ケース
４４    光学部材
４６    フレーム
５０    枠体
５２    フロント枠部
５４    サイド枠部
５５，５６  回動可能なサイド枠部
６０    枠体
６２    フロント枠部
６４    サイド枠部
６５    回動領域を備えたサイド枠部
６５ａ  回動領域
７０    枠体
７２    フロント枠部
７４    サイド枠部
７４ａ  嵌合凹部
７５    回動可能なサイド枠部
７７    嵌合片
７７ａ  嵌合凸部
８０    嵌合部    
１００    液晶表示装置
【図１】
2010145650.tif 000003
【図２】
2010145650.tif 000004
【図３Ａ】
2010145650.tif 000005
【図３Ｂ】
2010145650.tif 000006
【図４】
2010145650.tif 000007
【図５】
2010145650.tif 000008
【図６Ａ】
2010145650.tif 000009
【図６Ｂ】
2010145650.tif 000010